(57)【特許請求の範囲】
【請求項１】
室内空気が筐体内に流入する吸入部を有するグリルと、
前記吸入部から室内空気とともに流入する塵埃を捕集するエアフィルタと、
前記エアフィルタに沿って移動することにより、前記エアフィルタに付着した塵埃を取り除くブラシ部、および、該ブラシ部により取り除かれた塵埃が貯留される貯留部と、が設けられ、
少なくとも前記貯留部および前記グリルが、前記エアフィルタと分離して前記筐体よりも下側において前記筐体に対して昇降することを特徴とする室内機ユニット。
【請求項２】
前記ブラシ部を、前記エアフィルタに沿って移動させる駆動部が設けられ、
前記グリルを前記筐体から下降させる際に、
前記貯留部は、前記ブラシ部と分離され前記グリルとともに下降されることを特徴とする請求項１記載の室内機ユニット。
【請求項３】
前記ブラシ部および前記貯留部を、前記エアフィルタに沿って移動させる駆動部が設けられ、
前記グリルを前記筐体から下降させる際に、
前記ブラシ部および前記貯留部は前記駆動部から分離され、
前記グリルとともに下降されることを特徴とする請求項１記載の室内機ユニット。
【請求項４】
前記ブラシ部と前記駆動部との間に前記エアフィルタが配置され、
前記ブラシ部および前記貯留部の少なくとも一方と、前記駆動部とを、前記エアフィルタを迂回して接続する伝達部が設けられ、
前記グリルを前記筐体から下降させる際に、
前記ブラシ部と前記伝達部との間から前記エアフィルタが移動され、
前記伝達部が前記駆動部から分離され、
前記伝達部、前記ブラシ部および前記貯留部が前記グリルとともに下降されることを特徴とする請求項３記載の室内機ユニット。
【請求項５】
請求項１から請求項４のいずれか１項に記載の室内機ユニットと、
該室内機ユニットとともに冷媒が循環する冷媒流路を構成する室外機ユニットと、
が設けられていることを特徴とする空気調和機。
【発明の詳細な説明】
【技術分野】
【０００１】
本発明は、室内機ユニットおよび空気調和機に関する。
【背景技術】
【０００２】
従来、空気調和機の室内機ユニットは、室内空気を内部に吸入し、その温度を調整した後、再び室内へ温度調整された室内空気を吹き出している。この際に、室内空気中に浮遊する塵埃を捕集し、室内機ユニット内に侵入するのを防ぐエアフィルタが、室内機ユニットの吸入口に設けられている。
【０００３】
室内機ユニットを運転し続けると、エアフィルタには捕集された塵埃が蓄積される。すると、エアフィルタにおける室内空気の流通抵抗が増加し、室内機ユニットの効率が低下する問題があった。一方、蓄積された塵埃にカビなどが発生する恐れもあった。
上述の問題を解決するためには、エアフィルタに蓄積された塵埃を取り除く必要があった。
【０００４】
しかしながら、通常、室内機ユニットは高所に設置されることが多く、エアフィルタの清掃を行うことは容易でなかった。特に、天井埋め込み式室内機ユニットや、天井吊り下げ式室内機ユニットは、設置位置が天井に近くエアフィルタの清掃作業が困難を伴うものであった。
そのため、高所に設置されたエアフィルタの清掃に関するさまざまな技術が提案されている（例えば、特許文献１参照。）。
【特許文献１】特開２００５−０８３７２１号公報
【発明の開示】
【発明が解決しようとする課題】
【０００５】
上述の特許文献１に記載の技術では、エアフィルタから取り除いた塵埃は室内機ユニットに設けられた塵埃箱に貯留されている。そのため、エアフィルタの清掃を行う毎に、室内機ユニットから塵埃を取り除く必要がなくなるため、エアフィルタの清掃作業に伴う困難が軽減されている。
しかしながら、塵埃箱に貯留された塵埃等を室内機ユニットから取り除く作業は必要であることから、エアフィルタの清掃作業に伴う高所作業などの困難な作業を、依然として行う必要があった。
【０００６】
上述の高所作業を行う必要をなくす技術として、室内機ユニットにおけるグリルや、エアフィルタや、エアフィルタを清掃する清掃部などを一体に昇降させる技術が提案されている。この技術によれば、清掃部が床面近くまで降りてくるため、清掃部に貯留された塵埃を取り除く際に、高所作業する必要がない。
しかしながら、上述の技術では、清掃部とともにエアフィルタも床面近くまで降りてくる。すると、作業者が清掃部に貯留された塵埃を取り除く作業を行う際に、誤ってエアフィルタに触れて、エアフィルタを損傷させる恐れがあるという問題があった。
【０００７】
本発明は、上記の課題を解決するためになされたものであって、エアフィルタの清掃容易化を図るとともに、エアフィルタの損傷を防止することができる室内機ユニットおよび空気調和機を提供することを目的とする。
【課題を解決するための手段】
【０００８】
上記目的を達成するために、本発明は、以下の手段を提供する。
本発明の室内機ユニットは、室内空気が筐体内に流入する吸入部を有するグリルと、前記吸入部から室内空気とともに流入する塵埃を捕集するエアフィルタと、前記エアフィルタに沿って移動することにより、前記エアフィルタに付着した塵埃を取り除くブラシ部、および、該ブラシ部により取り除かれた塵埃が貯留される貯留部と、が設けられ、少なくとも前記貯留部および前記グリルが、前記エアフィルタと分離して前記筐体よりも下側において前記筐体に対して昇降することを特徴とする。
【０００９】
本発明によれば、貯留部はグリルとともに筐体から下降するため、下降した貯留部から容易に塵埃を取り除くことができる。言い換えると、作業者は高所に上ることなく、貯留部から塵埃を取り除くことができる。
一方、貯留部が筐体から下降してもエアフィルタは筐体内に残るため、貯留部から塵埃を取り除く際に、作業者がエアフィルタに触れる恐れがない。
【００１０】
上記発明においては、前記ブラシ部を、前記エアフィルタに沿って移動させる駆動部が設けられ、前記グリルを前記筐体から下降させる際に、前記貯留部は、前記ブラシ部と分離され前記グリルとともに下降されることが望ましい。
【００１１】
本発明によれば、貯留部とブラシ部とが分離して、塵埃が溜まる貯留部のみがグリルとともに筐体から下降するため、貯留部に溜まった塵埃の除去が容易となる。
一方で、駆動部からブラシ部および貯留部への駆動力の伝達経路を係合分離する必要があるブラシ部および貯留部を一体に下降させる場合と比較して、駆動部からブラシ部への駆動力の伝達経路を分離する必要がないため、駆動部からブラシ部に駆動力を容易に伝達することができる。
【００１２】
上記発明においては、前記ブラシ部および前記貯留部を、前記エアフィルタに沿って移動させる駆動部が設けられ、前記グリルを前記筐体から下降させる際に、前記ブラシ部および前記貯留部は前記駆動部から分離され、前記グリルとともに下降されることが望ましい。
【００１３】
本発明によれば、ブラシ部および貯留部が駆動部から分離して、グリルとともに筐体から下降するため、貯留部に溜まった塵埃の除去が容易となる。
一方で、貯留部とブラシ部とが分離して貯留部のみが下降する場合と比較して、ブラシ部が蓋の役割を果たすため、下降の際に溜まった塵埃が貯留部からこぼれることが防止される。
【００１４】
上記発明においては、前記ブラシ部と前記駆動部との間に前記エアフィルタが配置され、前記ブラシ部および前記貯留部の少なくとも一方と、前記駆動部とを、前記エアフィルタを迂回して接続する伝達部が設けられ、前記グリルを前記筐体から下降させる際に、前記ブラシ部と前記伝達部との間から前記エアフィルタが移動され、前記伝達部が前記駆動部から分離され、前記伝達部、前記ブラシ部および前記貯留部が前記グリルとともに下降されることが望ましい。
【００１５】
本発明によれば、ブラシ部と伝達部との間からエアフィルタを移動させて抜いた後に、伝達部が駆動部から分離され、伝達部、ブラシ部および貯留部が一体になってグリルとともに筐体から下降するため、貯留部に溜まった塵埃の除去が容易となる。
一方で、貯留部とブラシ部とが分離して貯留部のみが下降する場合と比較して、ブラシ部が蓋の役割を果たすため、下降の際に溜まった塵埃が貯留部からこぼれることが防止される。
【００１６】
本発明の空気調和機は、上記本発明の室内機ユニットと、該室内機ユニットとともに冷媒が循環する冷媒流路を構成する室外機ユニットと、が設けられていることを特徴とする。
【００１７】
本発明によれば、上記本発明の室内機ユニットを備えるため、室内機ユニットにおけるエアフィルタ清掃の容易化を図るとともに、エアフィルタの損傷を防止することができる。
【発明の効果】
【００１８】
本発明の室内機ユニットおよび空気調和機によれば、貯留部はグリルとともに筐体から下降し、エアフィルタは筐体内に残るため、エアフィルタの清掃容易化を図るとともに、エアフィルタの損傷を防止することができるという効果を奏する。
【発明を実施するための最良の形態】
【００１９】
〔第１の実施形態〕
以下、本発明の第１の実施形態に係る空気調和機ついて図１から図６を参照して説明する。
図１は、本実施形態に係る空気調和機の全体構成を説明する図である。
本実施形態における空気調和機１は、図１に示すように、天井に設置される室内機ユニット３と、室外に設置される室外機ユニット５と、室内機ユニット３と室外機ユニット５との間で冷媒を循環させる冷媒流路７と、室内機ユニット５および室外機ユニット５の運転状態を指示するリモコン８と、から概略構成されている。
【００２０】
室外機ユニット５は、図１に示すように、冷媒を圧縮する圧縮機９と、冷媒と室外空気との間で熱交換を行なう室外熱交換器１１と、室外ファン１３と、から概略構成されている。
【００２１】
図２は、図１の室内機ユニットの構成を説明する断面図である。
室内機ユニット３は、図２に示すように、下部に天面パネル１４およびスペーサ（筐体）１４Ａを有し、天井に埋め込み設置される筐体１５と、室内空気を吸込む吸込口（吸入部）１７が形成された吸込みグリル（グリル）１９と、室内空気を吸込み送り出す室内ファン２１と、室内空気と冷媒との間で熱交換を行なう室内熱交換器２３と、から概略構成されている。
【００２２】
筐体１５内部の上面における略中央には、室内ファン２１を駆動するファンモータ２５が配置され、室内ファン２１およびファンモータ２５の周囲には、室内熱交換器２３が配置されている。室内ファン２１の下方（図２中の下方）には、室内ファン２１に流入する室内空気の流れを整えるベルマウス２７が配置され、ベルマウス２７の下方には、吸込みグリル１９が配置されている。天面パネル１４に設けられた吸込みグリル１９の周囲には、室内ファン２１から室内熱交換器２３を通過した室内空気が、筐体１５から流出する吹出口２９が形成されている。
【００２３】
図３は、図２の室内機ユニットにおける吸込みグリル、天面パネルおよびスペーサの構成を説明する部分斜視図である。
吸込みグリル１９と対向する略中央領域には、図３に示すように、吸入される空気に含まれる塵埃等を除去するエアフィルタ３１が配置され、エアフィルタ３１と吸込みグリル１９との間には、エアフィルタ３１を清掃する清掃部３３が配置されている。
【００２４】
吸込みグリル１９の縁領域である枠部の四隅には、図３に示すように、吸込みグリル１９を昇降させるワイヤ６３が配置されている。天面パネル１４上には所定の厚さ寸法を有するスペーサ１４Ａが配置され、該スペーサ１４Ａによって形成される空間には、清掃部３３を駆動するために駆動用シャフト（駆動部）４５を回転駆動する駆動モータ（駆動部）３５と、シャフトの回転により往復駆動される往復動部（駆動部）３７および上部伝達部（伝達部）３９と、が天面パネル１４上に設置されたフレーム４１に保持されて配置されている。
【００２５】
図４は、図３のスペーサおよび天面パネル上に設置されたフレームの構成を説明する分解斜視図である。
スペーサ１４Ａは、図４に示すように、矩形状の枠体から構成され、枠体内の空間には、駆動モータ３５や往復動部３７を保持するフレーム４１が配置されている。なお、スペーサ１４Ａの枠体の中央に形成された貫通孔は、室内機ユニット３に流入する空気の流路であり、周囲に形成された４つの貫通孔は、室内機ユニット３から流出する空気の流路である。
【００２６】
天面パネル１４上に設置されるフレーム４１には、駆動モータ３５や往復動部３７などを支持する支持部４３が設けられている。支持部４３は、フレーム４１における対向する一対の辺であって、略中央部に設けられている。支持部４３は、フレーム４１の内周面から内側に向かって突出する凸状の部材であり、駆動モータ３５と、往復動部３７とを支持するものである。駆動モータ３５は、フレーム４１と支持部４３との間に配置され、往復動部３７は、一対の支持部４３の間に配置されている。
【００２７】
なお、上述のように、フレーム４１に支持部４３を設けて、支持部４３により駆動モータ３５や往復動部３７などを支持してもよいし、支持部４３を設けることなく、フレーム４１が直接駆動モータ３５や往復動部３７などを支持するように構成してもよく、特に限定するものではない。
【００２８】
往復動部３７は、図４に示すように、駆動モータ３５により回転駆動される駆動用シャフト４５と、駆動用シャフト４５により回転駆動されるウォームギア４７と、ウォームギア４７と係合される駆動用ラックギア４９と、を備えている。
駆動用シャフト４５は、断面が六角形などの多角形に形成された柱状部材であり、一対の支持部４３の間に回転可能に支持されている。
【００２９】
ウォームギア４７は、駆動用シャフト４５により回転駆動されるとともに、駆動用シャフト４５の長手方向に移動可能に配置されている。つまり、ウォームギア４７には、駆動用シャフト４５の断面形状と同一形状の貫通孔が形成され、その貫通孔に駆動用シャフト４５が挿通されている。そのため、駆動用シャフト４５の回転駆動力がウォームギア４７に伝達されるとともに、駆動用シャフト４５の長手方向にウォームギア４７が移動可能となる。
【００３０】
駆動用ラックギア４９は、図４に示すように、回転駆動されるウォームギア４７と係合することにより、ウォームギア４７が往復移動する駆動力を発生させるものである。駆動用ラックギア４９は、一対の支持部の間に固定配置されている。駆動用ラックギア４９は、断面が略Ｈ状に形成され、その中央にウォームギア４７と係合されるラックギアが形成されている。なお、駆動用ラックギア４９の断面形状は、上述のように略Ｈ状に形成されていてもよいし、その他の形状であってもよく、特に限定するものではない。
【００３１】
駆動力伝達部５３には、図４に示すように、後述する下部伝達部７５に往復駆動力を伝達する一対の側板６１と、側板６を繋ぐ天板５９と、が設けられている。
側板６１の下方端部には、後述する下部伝達部７５と係合される上部係合部６９が形成されている。上部係合部６９には、下部伝達部７５を挟み、往復駆動力を下部伝達部７５に伝達する上部凹部７１と、側板６１から外側に延び、上部伝達部３９および下部伝達部７５の間の相対姿勢を規定する押さえ板７３と、が設けられている。
【００３２】
図５は、図３の吸込みグリル上に設けられるエアフィルタおよび清掃部の構成を説明する部分分解斜視図である。
吸込みグリル１９上には、図５に示すように、吸入される空気に含まれる塵埃等を除去するエアフィルタ３１と、エアフィルタ３１を清掃する清掃部３３と、清掃部３３に往復駆動力を伝達する下部伝達部（伝達部）７５と、が矩形状の台座１１９を介して設置されている。
【００３３】
吸込みグリル１９上に設置される台座１１９は、清掃部３３を支持する枠体である。台座１１９には、図５および図６に示すように、略中央にエアフィルタ３１が配置される矩形状の貫通孔が形成され、上記貫通孔の対向する辺に沿った方向であって、清掃部３３の移動方向に沿って延びるガイド部７９が設けられている。ガイド部７９は、清掃部３３を支持するとともに、清掃部３３がその上を往復移動するものである。
【００３４】
図６は、図５の吸込みグリルの構成を説明する断面図である。
スペーサ１４Ａまたはエアフィルタ３１など、筐体１５に固定された部材におけるガイド部７９との対向領域には、図６に示すように、ガイド部７９に沿って延びる回転用ラックギア７７が設けられている。回転用ラックギア７７は、後述する回転ブラシ部８５のピニオンギア９３と噛み合わされ、回転ブラシ部８５に回転駆動力を発生させるものである。
【００３５】
清掃部３３には、図６に示すように、エアフィルタ３１に捕集された塵埃などを除去する回転ブラシ部（ブラシ部）８５と、回転ブラシ部８５により除去された塵埃などを一時的に貯留するダストボックス８７と、が設けられている。
回転ブラシ部８５には、図６に示すように、エアフィルタ３１に捕集された塵埃などを掃き取るブラシ部９１と、回転ブラシ部８５を回転駆動させるピニオンギア９３とが設けられている。
【００３６】
ダストボックス８７には、図６に示すように、下部伝達部７５から往復駆動力が伝達される本体９７と、塵埃などを一時的に貯留する貯留部９９と、が設けられている。
本体９７は回転ブラシ部８５を回転可能に保持するよう構成されている。その一方、貯留部９９は、本体９７と分離して吸込みグリル１９とともに昇降するように構成されている。
【００３７】
例えば、本体９７と回転ブラシ部８５とを、電磁石を用いて吸着分離させてもよいし、本体９７と回転ブラシ部８５とを貫通および離脱可能に構成されたピンを用いて、本体９７と回転ブラシ部８５と結合分離させてもよく、特に限定するものではない。
【００３８】
下部伝達部７５は、図６に示すように、略棒状に形成された部材であって、その長手方向における両端部に清掃部３３のブラケット１０１を把持する把持部１０９が設けられている。
【００３９】
次に空気調和機１における暖房運転時の作用について説明する。
冷媒は、圧縮機９により圧縮され室内熱交換器２３に送り出される。室内熱交換器２３に流入した冷媒は、室内空気に対して熱を放出し、凝縮・液化する。液化した冷媒は、膨張弁を通過する際に減圧され室外熱交換器１１に流入する。室外熱交換器１１に流入した冷媒は、室外熱交換器１１から熱を奪い、蒸発・気化する。気化した冷媒は再び圧縮機９に流入し、上述のサイクルを繰り返す。
【００４０】
次に、室内機ユニット３内における室内空気の流れについて説明する。
室内空気は、図２に示すように、ファンモータ２５により室内ファン２１が回転することにより、吸込口１７から筐体１５内に流入する。筐体１５に流入した室内空気は、エアフィルタ３１を通過し、室内空気に含まれるゴミがエアフィルタ３１に捕集される。
【００４１】
エアフィルタ３１を通過した室内空気は、ベルマウス２７を通過して室内ファン２１に吸込まれる。室内ファン２１に吸込まれた室内空気は、室内ファン２１の半径方向外側へ送り出され、室内熱交換器２３を通過する。
【００４２】
冷房運転時には、室内空気は室内熱交換器２３を通過する際に冷媒に熱を奪われ冷却される。一方、暖房運転時には、室内空気は室内熱交換器２３を通過する際に冷媒から熱を受取り加熱される。
室内熱交換器２３を通過した室内空気は、吹出口２９から室内へ流出する。
【００４３】
次に、本実施形態におけるエアフィルタの清掃における作用について説明する。
上述のように、室内機ユニット３の運転によりエアフィルタ３１に付着した塵埃は、清掃部３３をエアフィルタ３１の面に沿って往復動させることにより取り除かれる。
【００４４】
具体的には、駆動モータ３５の回転駆動力が、図４に示すように、駆動用シャフト４５に伝達され、ウォームギア４７が回転駆動される。駆動用ラックギア４９と係合されたウォームギア４７は、回転駆動されることにより駆動用シャフト４５に沿って往復駆動される。ウォームギア４７の駆動方向は、駆動モータ３５の回転方向により制御される。ウォームギア４７の往復動は上部伝達部３９に伝達され、上部伝達部３９は、ウォームギア４７とともに往復動される。
【００４５】
上部伝達部３９に伝達された往復動は、図４および図５に示すように、上部伝達部３９から下部伝達部へ伝達される。上部伝達部３９の押さえ板７３が下部伝達部７５の上面と接触しているため、上部伝達部３９と下部伝達部７５との相対位置関係は、往復動が伝達されている間においても変化しない。
【００４６】
下部伝達部７５に伝達された往復動は、図５および図６に示すように、エアフィルタ３１の下面側に配置された清掃部３３のブラケット１０１へ伝達される。ブラケット１０１に伝達された往復動はダストボックス８７から回転ブラシ部８５へ伝達される。
【００４７】
回転ブラシ部８５は、エアフィルタ３１の下面側を往復動するとともに、ピニオンギア９３と回転用ラックギア７７との係合により回転駆動される。回転ブラシ部８５の往復動および回転により、回転ブラシ部８５のブラシ部９１は、エアフィルタ３１における空気吸入側の面の全面を掃き、エアフィルタ３１に捕集された塵埃などを取り除く。
なお、回転ブラシ部８５の往復動の速度と、ブラシ部９１の先端部の回転速度と、の間には所定の速度差が設けられ、この速度差によりブラシ部９１がエアフィルタ３１の全面を掃くことができる。この速度差を設ける方法としては、例えば、ピニオンギア９３の直径とブラシ部９１の直径とを所定の比率に設定する方法を挙げることができる。
【００４８】
ブラシ部９１により取り除かれた塵埃などは貯留部９９内に落下し、一時的に貯留される。
貯留部９９内に貯留された塵埃は、上方に回転ブラシ８５などが塞ぐように配置されているため、清掃部３３から外部にこぼれることがない。
【００４９】
次に、貯留部９９内に貯留された塵埃などの取り除き方法について説明する。
貯留部９９に貯留された塵埃を取り除く場合には、まず、図３および図６に示すように、天面パネル１４から吸込みグリル１９が下方に降ろされる。
【００５０】
吸込みグリル１９には清掃部３３の貯留部９９が載せられ、エアフィルタ３１、上部伝達部３９、下部伝達部７５、回転ブラシ部８５および本体９７は筐体１５に取り付けられているため、吸込みグリル１９を降ろすことにより、貯留部９９のみが同時に天面パネル１４から下方に降ろされる。
【００５１】
このとき、駆動モータ３５から清掃部３３への駆動力伝達経路は、本体９７と貯留部９９との間で切り離される。
つまり、本体９７と貯留部９９とが電磁石を用いて結合されている場合には、電磁石への電力の供給が停止され、本体９７と貯留部９９とが切り離される。
【００５２】
吸込みグリル１９および貯留部９９が床面近くまで下ろされると、作業者は貯留部９９から溜まった塵埃を取り除く。
【００５３】
上記の構成によれば、貯留部９９は吸込みグリル１９とともに筐体１５から下降するため、下降した貯留部９９から容易に塵埃を取り除くことができる。言い換えると、作業者は高所に上ることなく、貯留部９９から塵埃を取り除くことができる。
一方、貯留部９９が筐体から下降してもエアフィルタ３１は筐体１５内に残るため、貯留部９９から塵埃を取り除く際に、作業者がエアフィルタ３１に触れる恐れがない。
エアフィルタ３１の清掃の容易化を図るとともに、清掃時におけるエアフィルタ３１の損傷を防止することができる。
【００５４】
貯留部９９と回転ブラシ部８５とが分離して、塵埃が溜まる貯留部９９のみが吸込みグリル１９とともに筐体１５から下降するため、貯留部９９に溜まった塵埃の除去が容易となる。
一方で、駆動モータ３５などから回転ブラシ部８５および貯留部９９への駆動力の伝達経路を係合分離する必要がある回転ブラシ部８５および貯留部９９を一体に下降させる場合と比較して、駆動モータ３５などから回転ブラシ部８５への駆動力の伝達経路を分離する必要がないため、駆動モータ３５などから回転ブラシ部８５に駆動力を容易に伝達することができる。
【００５５】
〔第２の実施形態〕
次に、本発明の第２の実施形態について図７を参照して説明する。
本実施形態の空気調和機の基本構成は、第１の実施形態と同様であるが、第１の実施形態とは、清掃部周辺の構成が異なっている。よって、本実施形態においては、図７を用いて清掃部周辺の構成のみを説明し、その他の構成要素等の説明を省略する。
図７は、本実施形態の空気調和装置における清掃部周辺の構成を説明する模式図である。
なお、第１の実施形態と同一の構成要素には同一の符号を付して、その説明を省略する。
【００５６】
本実施形態における空気調和機２０１の室内機ユニット２０３には、図７に示すように、下部に天面パネル１４およびスペーサ１４Ａを有し、室内空気を吸込む吸込口１７が形成された吸込みグリル（グリル）２１９と、吸入される空気に含まれる塵埃等を除去するエアフィルタ２３１と、が設けられている。
【００５７】
吸込みグリル２１９上に設置される台座１１９は、清掃部３３を支持する枠体である。台座１１９には、図７に示すように、略中央にエアフィルタ３１が配置される矩形状の貫通孔が形成され、上記貫通孔の対向する辺に沿った方向であって、清掃部３３の移動方向に沿って延びるガイド部７９と、回転用ラックギア７７と、が設けられている。
【００５８】
ガイド部７９は、清掃部３３を支持するとともに、清掃部３３がその上を往復移動するものである。
回転用ラックギア７７は、後述する回転ブラシ部８５のピニオンギア９３と噛み合わされ、回転ブラシ部８５に回転駆動力を発生させるものである。
【００５９】
エアフィルタ２３１は、図７に示すように、エアフィルタ２３１が延びる方向（図７の左右方向）にスライド移動可能に配置されている。さらに、エアフィルタ２３１には、エアフィルタ２３１を移動させる移動部２３２が設けられている。
【００６０】
次に、貯留部９９内に貯留された塵埃などの取り除き方法について説明する。
貯留部９９に貯留された塵埃を取り除く場合には、まず、図７に示すように、エアフィルタ２３１が移動部２３２により移動され、その後に天面パネル１４から吸込みグリル１９が下方に降ろされる。
【００６１】
具体的には、まず、エアフィルタ２３１が移動部２３２により側方に移動され、下部伝達部７５と清掃部３３との間に挿通されていたエアフィルタ２３１が、下部伝達部７５と清掃部３３との間から抜き出される。言い換えると、エアフィルタ２３１を移動させることにより、下部伝達部７５が下方に移動する隙間が形成される。
【００６２】
その後、下部伝達部７５および清掃部３３が上に載せられた状態で、吸込みグリル１９が下方に下ろされる。
このとき、駆動モータ３５から清掃部３３への駆動力伝達経路は、上部伝達部６９と下部伝達部７５との間で切り離される。
【００６３】
吸込みグリル１９および清掃部３３が床面近くまで下ろされると、作業者は清掃部３３の貯留部９９から溜まった塵埃を取り除く。
【００６４】
上記の構成によれば、回転ブラシ部８５を含む清掃部３３と下部伝達部７５との間からエアフィルタ２３１を移動させて抜いた後に、下部伝達部７５が、駆動モータ３５から駆動力を伝達する上部伝達部６９から分離され、下部伝達部７５、回転ブラシ部８５および貯留部９９が一体になった清掃部３３が吸込みグリル２１９とともに筐体から下降するため、貯留部９９に溜まった塵埃の除去が容易となる。
一方で、貯留部９９と回転ブラシ部８５とが分離して貯留部９９のみが下降する場合と比較して、回転ブラシ部８５などが蓋の役割を果たすため、下降の際に溜まった塵埃が貯留部９９からこぼれにくくなる。
【００６５】
なお、本発明の技術範囲は上記実施形態に限定されるものではなく、本発明の趣旨を逸脱しない範囲において種々の変更を加えることが可能である。
【図面の簡単な説明】
【００６６】
【図１】本発明の第１の実施形態に係る空気調和機の全体構成を説明する図である。
【図２】図１の室内機ユニットの構成を説明する断面図である。
【図３】図２の室内機ユニットにおける吸込みグリル、天面パネルおよびスペーサの構成を説明する部分斜視図である。
【図４】図３のスペーサおよび天面パネル上に設置されたフレームの構成を説明する分解斜視図である。
【図５】図３の吸込みグリル上に設けられるエアフィルタおよび清掃部の構成を説明する部分分解斜視図である。
【図６】図５の吸込みグリルの構成を説明する断面図である。
【図７】本発明の第２の実施形態の空気調和装置における清掃部周辺の構成を説明する模式図である。
【符号の説明】
【００６７】
１,２０１  空気調和機
３,２０３  室内機ユニット
５  室外機ユニット
７  冷媒流路
１４Ａ  スペーサ（筐体）
１５  筐体
１７  吸込口（吸入部）
１９,２１９  吸込みグリル（グリル）
３１,２３１  エアフィルタ
３５  駆動モータ（駆動部）
３７  往復動部（駆動部）
３９  上部伝達部（伝達部）
４５  駆動用シャフト（駆動部）
７５  下部伝達部（伝達部）
８５  回転ブラシ部（ブラシ部）
８７  ダストボックス
９９  貯留部
【図１】
0005055194.tif 000002
【図２】
0005055194.tif 000003
【図３】
0005055194.tif 000004
【図４】
0005055194.tif 000005
【図５】
0005055194.tif 000006
【図６】
0005055194.tif 000007
【図７】
0005055194.tif 000008